(57)【要約】      （修正有）【課題】発光ダイオード・アレー光源をバックライトモジュール中に応用し、低温下で起動することができ、かつ点灯後、過熱状態にならないようにする。【解決手段】少なくとも1つの積載器および数個の発光ダイオードからなる発光ダイオード・アレー光源。このうち、積載器は、正面と背面を有し、積載器の正面と背面に  は、数組の接点を有する。発光ダイオードは、積載器上に配置され、それぞれ各組の接点と連結し、かつ発光ダイオードが提供する光源は、積載器の一方のサイドから射出される。【選択図】  図２
2004349060.tif 000002
【特許請求の範囲】
【請求項１】
正面、背面それぞれに複数組の接点を有する積載器、および前記積載器上に配置される複数個の発光ダイオードからなり、前記発光ダイオードがそれぞれ前記複数組の接点と電気的に連結し、かつ前記発光ダイオードの提供する光が、前記積載器の一方のサイドから射出されることを特徴とする、一種の発光ダイオード・アレー光源。
【請求項２】
バックライトモジュールに応用され、前記バックライトモジュールが、光入射面、光射出面、光散乱面を有する導光板を含み、
正面、背面それぞれに複数組の接点を有する積載器、および前期積載器上に配置される複数個の発光ダイオードからなり、前記複数個の発光ダイオードが、それぞれ前記複数組の接点と電気的に連結し、かつ前記複数個の発光ダイオードが提供する光が、積載器の一方のサイドから射出されることを特徴とする、一種の発光ダイオード・アレー光源。
【請求項３】
前記積載器が、プリント回路板、単層のフレキシブルプリント回路薄膜、多層のフレキシブルプリント回路薄膜から選択されることを特徴とする、請求項１または請求項２に記載の発光ダイオード・アレー光源。
【請求項４】
前記複数個の発光ダイオードが、全て表面粘着型の発光ダイオード素子であり、前記複数個の発光ダイオードが、それぞれ１組の電極を有し、前記複数個の発光ダイオードが、それぞれ前記電極を通じて前記接点と電気的に連結することを特徴とする、請求項１または請求項２に記載の発光ダイオード・アレー光源。
【請求項５】
前記複数個の発光ダイオードの配置方式が、互いに対称となる配置方式、互いに交差する配置方式、一部互いに対称となり一部互いに交差する配置方式から選択されることを特徴とする、請求項１または請求項２に記載の発光ダイオード・アレー光源。
【請求項６】
第一接合エリア、第二接合エリア、および第一接合エリアと第二接合エリアを接合する折れ曲がりエリアを有し、前記第一接合エリア上に複数組の第一接点を有し、前記第二接合エリア上に複数組の第二接点を有する、二つ折れフレキシブルプリント回路薄膜、および
前記第一接合エリアおよび前記第二接合エリアに配置され、前記複数組の第一接点および前記複数組の第二接点と電気的に連結し、かつ提供する光が前記二つ折れフレキシブルプリント回路薄膜の一方のサイドから射出される、複数個の発光ダイオードからなることを特徴とする、一種の発光ダイオード・アレー光源。
【請求項７】
複数組の第一接点を有する第一接合エリア、複数組の第二接点を有する第二接合エリア、および第一接合エリアと第二接合エリアを連結する折れ曲がりエリアを有する二つ折れフレキシブルプリント回路薄膜、並びに、前記複数組の第一接点および前記複数組の第二接点と電気的に連結し、かつ提供する光が前記二つ折れフレキシブルプリント回路薄膜の一方のサイドから射出される、前記第一接合エリアおよび前記第二接合エリアに配置される複数個の発光ダイオードからなることを特徴とする、光入射面、光射出面、および光散乱面を有する導光板からなるバックライトモジュールに応用される一種の発光ダイオード・アレー光源。
【請求項８】
前記複数個の発光ダイオードが、全て表面粘着型の発光ダイオード素子であり、それぞれ１組の電極を有し、かつそれぞれ前記複数組の電極を通じて前記複数組の第一接点、前記複数組の第二接点と電気的に連結することを特徴とする、請求項６または請求項７に記載の発光ダイオード・アレー光源。
【請求項９】
前記複数組の第一接点に電気的に連結する前記複数個の発光ダイオード、および前記複数組の第二接点に電気的に連結する前記複数個の発光ダイオードの配置方式が、互いに対称となる配置方式、互いに交差する配置方式、一部互いに対称となり一部互いに交差する配置方式から選択されることを特徴とする、請求項６または請求項７に記載の発光ダイオード・アレー光源。
【請求項１０】
さらに、前記光散乱面に配置される反射板を含むことを特徴とする請求項２または請求項７に記載のバックライトモジュール。
【発明の詳細な説明】
【０００１】
【発明の属する技術分野】
本発明は、一種の光源およびこの種の光源を使用するバックライトモジュール（ｂａｃｋｌｉｇｈｔ  ｍｏｄｕｌｅ、Ｂ／Ｌと略す）に関わるものであり、特に一種の発光ダイオード（ｌｉｇｈｔ  ｅｍｉｔｔｉｎｇ  ｄｉｏｄｅ、ＬＥＤと略す）・アレー光源およびこの種の光源を使用するバックライトモジュールに関わるものである。
【０００２】
【従来の技術】
ハイテクの発達にともない、ビジュアル製品、特にデジタル化された画像もしくは映像装置は、既に一般の日常生活においてよく見られる製品となっている。これらデジタル画像／映像装置において、ディスプレイは、関係する情報を表示する重要な部分である。ユーザは、ディスプレイから情報を読み取る、または装置の動作を制御することができる。また、近代的生活様式に合わせて、画像／映像装置の体積は、日々コンパクトになり、薄く軽くなっている。一方、伝統的な陰極線管ディスプレイ（ＣＲＴディスプレイ）には、それなりのメリットがあるが、スペースをとる上に消費電力も大きい。したがって、光電技術と半導体製造技術を組み合わせたパネルディ式のディスプレイが、現在よく目にする液晶ディスプレイのようなディスプレイ製品へと進歩したのである。
【０００３】
液晶ディスプレイは、非自発光型のディスプレイに属するため、十分な光源を提供しなければ、表示の目的を果たすことができない。また、液晶ディスプレイは、光源の利用形態によって、透過型ＬＣＤ（ｔｒａｎｓｍｉｓｓｉｖｅ  ＬＣＤ）、反射型ＬＣＤ（ｒｅｆｌｅｃｔｉｖｅ  ＬＣＤ）、および半透過型液晶ディスプレイ（ｔｒａｎ−ｒｅｆｌｅｃｔｉｖｅ  ＬＣＤ）に分けられる。透過型ＬＣＤまたは半透過型ＬＣＤを例にとると、これらは、通常、バックライトモジュールをその主要光源としており、バックライトモジュールは、通常、発光源の冷陰極蛍光ランプ（ｃｏｌｄ  ｃａｔｈｏｄｅ  ｆｌｕｏｒｅｓｃｅｎｔ  ｌａｍｐ、ＣＣＦＬと略す）、導光板（ｌｉｇｈｔ  ｇｕｉｄｅ  ｐａｎｅｌ、ＬＧＰと略す）、反射板、およびランプホルダー（ｌａｍｐ  ｈｏｌｄｅｒ）などのコンポーネントからなり、その配置は、図１のとおりである。
【０００４】
図１は、広く知られているノート型ＰＣのバックライトモジュールの断面図である。図１を参照されたい。広く知られているバックライトモジュール１００は、主に発光源としての冷陰極蛍光ランプ１０２、導光板１０４、およびランプホルダー１０６などのコンポーネントからなり、このうちの導光板１０４は、光入射面１０３ａ、光射出面１０３ｂ、および光散乱面１０３ｃを有する。ランプホルダー１０６は、導光板１０４の光入射面１０３ａに対応する位置に配置され、ランプ管１０２は、ランプホルダー１０６の中に配置され、ランプ管が発する光線は、ランプホルダーにより導光板に集中して入射することができる。
【０００５】
【特許文献】
特開２００２−３２１３９７号公報
【０００６】
【発明が解決しようとする課題及び目的】
しかし、冷陰極蛍光ランプ１０２の管径により制限されるため、バックライトモジュール全体の厚さを小さくすることは難しい。また、冷陰極蛍光ランプ１０２を長時間使用した後は、常に温度が上昇することから、導光板１０４の冷陰極蛍光ランプ１０２に近接する部分が黄化し、色ムラが生じ、深刻な場合は、導光板１０４が反り曲がる。また、広く知られている冷陰極蛍光ランプ１０２は低温下では起動しにくい上、点灯初期に必ず予熱（ｗａｒｍ  ｕｐ）しなければ所期の輝度が得られない。
【０００７】
したがって、本発明の目的は、高温による導光板の黄化や変形を回避するため、一種の発光ダイオード・アレー光源およびこの種の光源を使用するバックライトモジュールを提供することにある。
【０００８】
本発明のもう一つの目的は、バックライトモジュール全体の厚さを小さくするため、一種の発光ダイオード・アレー光源およびこの種の光源を使用するバックライトモジュールを提供することにある。
【０００９】
本発明の別の目的は、低温下で起動させることができ、予熱を行わなくてもよいように、一種の発光ダイオード・アレー光源およびこの種の光源を使用するバックライトモジュールを提供することにある。
【００１０】
本件のまた別の目的は、輝度を高めるため、一種の発光ダイオード・アレー光源およびこの種の光源を使用するバックライトモジュールを提供することにある。
【００１１】
前記およびその他の目的に基づき、本発明は、正面と背面に数組の接点を有する積載器、および積載器上に配置される数個の発光ダイオードからなり、各発光ダイオードがそれぞれ各組接点と電気的に連結し、かつ発光ダイオードの提供する光源が積載器の一方のサイドから射出されることを特徴とする、一種の発光ダイオード・アレー光源を提供する。
【００１２】
【課題を解決するための手段】
本発明は、二つ折れのフレキシブルプリント回路（ｆｌｅｘｉｂｌｅ  ｐｒｉｎｔｅｄ  ｃｉｒｃｕｉｔ、ＦＰＣと略す）薄膜、および数個の発光ダイオードからなり、二つ折れのフレキシブルプリント回路薄膜が第一接合エリア、第二接合エリア、および第一接合エリアと第二接合エリアを連結する折れ曲がりエリアを有し、第一接合エリア上に数組の第一接点があり、第二接合エリア上に数組の第二接点があることを特徴とする、一種の発光ダイオード・アレー光源を提供する。また、発光ダイオードは、第一接合エリアと第二接合エリアに配置され、各発光ダイオードは、各組の第一接点および各組の第二接点と電気的に連結し、発光ダイオードの提供する光源は、二つ折れフレキシブルプリント回路薄膜の一方のサイドから射出される。
【００１３】
本発明は、光入射面、光射出面、および光散出面を有する導光板、および発光ダイオード・アレー光源からなることを特徴とする、一種のバックライトモジュールもまた提供する。発光ダイオード・アレー光源は、導光板の光入射サイドに配置され、正面と背面に数組の接点を有する積載器および数個の発光ダイオードからなる。発光ダイオードは、積載器上に配置され、各発光ダイオードは、それぞれ各組接点と電気的に連結し、発光ダイオードの提供する光源は、積載器の一方のサイドより射出される。
【００１４】
また、本発明は、光入射面、光射出面、および光散乱面を有する導光板と発光ダイオード・アレー光源からなり、発光ダイオード・アレー光源が導光板の光入射サイドに配置され、これに、二つ折れのフレキシブルプリント回路薄膜および数個の発光ダイオードが含まれ、二つ折れのフレキシブルプリント回路が第一接合エリア、第二接合、および第一接合エリアと第二接合エリアを連結する折れ曲がりエリアを有し、第一接合エリア上に数個の第一接点があり、第二接合エリア上に数個の第二接点があることを特徴とする、一種のバックライトモジュールもまた提供する。また、発光ダイオードは、第一接合エリアと第二接合エリアに配置され、各発光ダイオードは、各組第一接点および各組第二接点と電気的に連結し、発光ダイオードの提供する光源は、二つ折れフレキシブルプリント回路薄膜の一方のサイドから射出される。
【００１５】
本発明は、積載器および数個の発光ダイオードを光源として利用することによって、輝度を高めることができ、またランプ管を長時間点灯させることで高温が生じるという広く知られた問題を回避することができる。また、バックライトモジュールの厚さは、広く知られるような冷陰極蛍光ランプの管径による制限を受けない。さらに、本発明の光源は、低温下で起動させることができ、予熱時間を減らすことができる。
【００１６】
本発明の前記およびその他の目的、特徴、長所を更にわかり易く示すため、以下、好ましい実施例を挙げ、図面を用いながら詳細に解説する。
【００１７】
【実施例】
本発明の主要なコンセプトは、液晶ディスプレイのバックライトモジュールの光源を積載器と数個の発光ダイオードで形成することであり、このコンセプトにより形成されるバックライトモジュールには、少なくとも３つの形態がある。以下、図２、図３−１、図３−２、図４−１、および図４−２を用いながら説明する。
【００１８】
（実施例１）
図２は、本発明の実施例１のバックライトモジュール（ｂａｃｋｌｉｇｈｔ  ｍｏｄｕｌｅ、Ｂ／Ｌと略す）の断面図である。
【００１９】
図２を参照されたい。本発明のバックライトモジュール２００は、発光ダイオード（ｌｉｇｈｔ  ｅｍｉｔｔｉｎｇ  ｄｉｏｄｅ、ＬＥＤと略す）・アレー光源２０２、および光入射面２０３ａ、光射出面２０３ｂ、光散乱面２０３ｃを有する導光板（ｌｉｇｈｔ  ｇｕｉｄｅ  ｐａｎｅｌ、ＬＧＰと略す）２０４からなる。発光ダイオード・アレー光源２０２は、導光板２０４の光入射面２０３ａサイドに配置される。発光ダイオード・アレー光源２０２は、積載器２０６、および数個の発光ダイオード２０８からなり、積載器２０６は、正面２０７ａと背面２０７ｂを有し、また、正面２０７ａと背面２０７ｂの上に数組の接点２１０を有する。積載器２０６は、例えばプリント回路板であり、発光ダイオード２０８は、例えば表面粘着型の発光ダイオード素子である。
【００２０】
引き続き図２を参照されたい。発光ダイオード２０８と積載器２０６の間の位置関係については、発光ダイオード２０８が積載器２０６上に配置され、各ダイオード２０８がそれぞれ各組接点２１０と電気的に連結しており、発光ダイオード２０８の提供する光は、積載器２０６の一方のサイドから射出される。また、発光ダイオード２０８が表面粘着型の発光ダイオード素子であるとき、各発光ダイオード２０８は、１組の電極（図示していない）を有し、かつそれぞれ電極を通じて接点２１０と電気的に連結する。このとき、発光ダイオード２０８は、互いに対称となる形で、または互いに交差する形で配置される。また、導光板２０４は、光散乱面２０３ｃ上に反射板２０５を有し、光射出面２０３ｂ上には若干の拡散フィルム、増光フィルムなどの光学フィルムを配置することができる。
【００２１】
（実施例２）
図３−１は、本発明の実施例２に基づくバックライトモジュールの断面図である。
【００２２】
図３−１を参照されたい。本実施例のバックライトモジュール３００は、発光ダイオード・アレー光源３０２、および光入射面３０３ａ、光射出面３０３ｂ、光散乱面３０３ｃを有する導光板３０４からなり、発光ダイオード・アレー光源３０２は、導光板３０４の光入射面３０３ａサイドに配置される。発光ダイオード・アレー光源３０２は、二つ折れのフレキシブルプリント回路薄膜（ｆｌｅｘｉｂｌｅ  ｐｒｉｎｔｅｄ  ｃｉｒｃｕｉｔ、ＦＰＣと略す）３０６、および数個の発光ダイオード３０８からなり、二つ折れのフレキシブルプリント回路薄膜３０６は、数組の第一接点３１０ａを持つ第一接合エリア３０７ａ、数組の第二接点３１０ｂを持つ第二接合エリア３０７ｂ、および第一接合エリア３０７ａと第二接合エリア３０７ｂを連結する折れ曲がりエリア３０７ｃを有し、フレキシブルプリント回路薄膜３０６は、単層のフレキシブルプリント回路薄膜、もしくは多層のフレキシブルプリント回路薄膜であり、発光ダイオード３０８は、例えば表面粘着型の発光ダイオード素子である。
【００２３】
続いて図３−１を参照されたい。発光ダイオード３０８は、第一接合エリア３０７ａと第二接合エリア３０７ｂの外側に配置される。各発光ダイオード３０８は、各組第一接点３１０ａおよび各組第二接点３１０ｂと電気的に連結する。また、発光ダイオードの提供する光は、二つ折れフレキシブルプリント回路薄膜３０６の一方のサイドから射出される。さらに、発光ダイオード３０８が表面粘着型の発光ダイオード素子であるとき、各発光ダイオード３０８は、１組の電極（図示していない）を有し、それぞれ電極を通じて第一接点３１０ａおよび第二接点３１０ｂと電気的に連結し、第一接点３１０ａと電気的に連結する発光ダイオード３０８および第二接点３１０ｂと電気的に連結する発光ダイオード３０８は、互いに対称となる形で、または互いに交差する形で配置される。また、導光板３０４の光散乱面３０３ｃ上には、反射板３０５があり、導光板３０４の光射出面３０３ｂ上には拡散フィルム、増光フィルムなどの光学フィルムを配置することができる。
【００２４】
さらに、本実施例の発光ダイオード・アレー光源３０２を説明するため、図３−２を参照されたい。
【００２５】
図３−２は、図３−１のバックライトモジュールの発光ダイオード・アレー光源を上から見たときの図である。ここで、図３−２を参照されたい。発光ダイオード・アレー光源３０２の中のフレキシブルプリント回路薄膜３０６は、第一接合エリア３０７ａ、第二接合エリア３０７ｂ、および第一接合エリア３０７ａと第二接合エリア３０７ｂを連結する折れ曲がりエリア３０７ｃを有し、発光ダイオード３０８は、フレキシブルプリント回路薄膜３０６上に配置される。この後、図中のフレキシブルプリント回路薄膜３０６を折れ曲げ線３２０より二つ折りにし、図３−１のバックライトモジュール３００の中に入れる。
【００２６】
（実施例３）
図４−１は、本発明の実施例３に基づくバックライトモジュールの断面図である。
【００２７】
図４−１を参照されたい。本実施例のバックライトモジュール４００と前記図３−１のバックライトモジュール３００の最大の相違点は、発光ダイオード・アレー光源４０２の形態にある。本実施例の発光ダイオード・アレー光源４０２は、二つ折れのフレキシブルプリント回路薄膜４０６、および数個の発光ダイオード４０８からなり、二つ折れのフレキシブルプリント回路薄膜４０６は、第一接合エリア４０７ａ、第二接合エリア４０７ｂ、および第一接合エリア４０７ａと第二接合エリア４０７ｂを連結する折れ曲がりエリア４０７ｃを有し、第一接合エリア４０７ａ上に数組の第一接点４１０ａを有し、第二接合エリア４０７ｂ上に数組の第二接点４１０ｂを有する。本実施例の発光ダイオード・アレー光源４０２を説明するので、図４−２を参照されたい。
【００２８】
図４−２は、図４−１のバックライトモジュールの発光ダイオード・アレー光源を上から見たときの展開図である。ここで、図４−２を参照されたい。発光ダイオード・アレー光源４０２の中のフレキシブルプリント回路薄膜４０６は、折れ曲げ線４２０より二つ折りにし、図４−１のバックライトモジュール４００の中に入れる。
【００２９】
【発明の効果】
したがって、本発明の特徴は、積載器および数個の発光ダイオードをバックライトモジュールの光源として利用することにあり、これによって輝度を高めることができる。さらに、本発明は、発光ダイオードを光源としているため、ランプ管を長時間点灯させることで高温が生じるという広く知られた問題を回避することができる。また、本発明のバックライトモジュールの厚さは、広く知られているような陰極蛍光ランプの管径による制限を受けない。さらに、本発明の光源を使用することで、低温下で起動させることができ、予熱時間を減らすことができる。
【００３０】
本発明については、比較的好ましい実施例を上記に示したが、これは本発明を限定するために用いるものではない。当業者であれば、本発明の趣旨と範囲を逸脱することなく、多少変更や修正を加えることができる。したがって、本発明の対象となる技術的範囲については、特許請求の範囲を基準とする。
【図面の簡単な説明】
【図１】広く知られるノート型ＰＣのバックライトモジュールの断面図である。
【図２】本発明の実施例１に基づくバックライトモジュールの断面図である。
【図３−１】本発明の実施例２に基づくバックライトモジュールの断面図である。
【図３−２】図３−１のバックライトモジュールの発光ダイオード・アレー光源を上から見たときの展開図である。
【図４−１】本発明の実施例３に基づくバックライトモジュールの断面図である。
【図４−２】図４−１のバックライトモジュールの発光ダイオード・アレー光源を上から見たときの展開図である。
【符号の説明】
１００、２００、３００、４００：バックライトモジュール
１０２：冷陰極蛍光ランプ
１０３ａ、２０３ｂ、３０３ａ：光入射面
１０３ｂ、２０３ｂ、３０３ｂ：光射出面
１０３ｃ、２０３ｃ、３０３ｃ：光散乱面
１０４、２０４、３０４：導光板
１０６：ランプホルダー
２００：バックライトモジュール
２０２、３０２、４０２：発光ダイオード・アレー光源
２０３ａ：光入射面
２０３ｂ：光射出面
２０３ｃ：光散乱面
２０４：導光板
２０５：反射板
２０６：積載器
２０７ａ：正面
２０７ｂ：背面
２０８：発光ダイオード
２１０：接点
２０８、３０８、４０８：発光ダイオード
２１０、３１０ａ、３１０ｂ：接点
３０５：反射板
３０６、４０６：フレキシブルプリント回路薄膜
３０７ａ、３０７ｃ、４０７ａ、４０７ｂ：接合エリア
３０７ｃ、４０７ｃ：折れ曲がりエリア
３２０、４２０：折れ曲げ線
【図１】
2004349060.tif 000003
【図２】
2004349060.tif 000004
【図３−１】
2004349060.tif 000005
【図３−２】
2004349060.tif 000006
【図４−１】
2004349060.tif 000007
【図４−２】
2004349060.tif 000008